(57)【特許請求の範囲】
【請求項１】
基礎コンクリートの補強筋を非導電性の強化プラスチック筋にて構成し、且つ、該強化プラスチック筋に電気構造物のアンカーボルトを接続し、更に、該電気構造物の接地線に漏洩電流検出器及び電位検出器を付設したことを特徴とする電気構造物の絶縁性測定装置。
【発明の詳細な説明】
【０００１】
【発明の属する技術分野】
この発明は電気構造物の絶縁性測定装置に関するものであり、特に、大型の変圧器、キュービクル、コンデンサ等の電気構造物に於ける絶縁性の劣化度合を判断するための装置に関するものである。
【０００２】
【従来の技術】
大型の変圧器、キュービクル、コンデンサ等の電気構造物に於いて、その絶縁性の劣化度合を判断するには、図２に図示する如く、電気構造物１の運転を停止した上で、絶縁抵抗計２の線路端子３を該電気構造物１に接続し、且つ、前記絶縁抵抗計２の線路端子４を接地して、該電気構造物１の絶縁抵抗を測定し、その結果、絶縁抵抗値が当初よりも減少しておれば、それだけ絶縁性劣化が進行したとする方法が一般的である。従って、主として電気構造物１の運転停止による影響が少ない休日や夜間に作業が行われている。
【０００３】
【発明が解決しようとする課題】
主として休日又は夜間に於いてのみ絶縁性の測定をすることは不便であり、若し稼動中に急激に絶縁性劣化が進行した場合には、即座に対応することが不可能であるので信頼性にも欠ける。また、ＲＦ加熱炉用変圧器等の電気構造物では、常時絶縁性劣化を監視することが求められる場合もある。
【０００４】
一方、絶縁抵抗の測定によらないその他の判断方法として、稼動中に接地線から流出する漏洩電流を変流器等により測定する手段も考えられるが、この判断方法は大型の電気構造物に於いては従来不正確さをまぬがれ得なかった。即ち、かかる大型の電気構造物は力学的安定を図る必要からアンカーボルトを介して基礎コンクリート中の鉄筋に固定されており、このアンカーボルト乃至鉄筋を通じて漏洩電流の一部が流出するため、接地線の電流値のみでは絶縁性劣化度合を判断できないからである。また、絶縁性劣化が進行すればする程、鉄筋を経由する漏洩電流が多くなるため、得られるデータが増々不正確なものとなり役に立たない。
【０００５】
そこで、電気構造物の絶縁性劣化度合を常時、且つ、正確に測定できるようにするために解決すべき技術的課題が生じてくるのであり、本発明は該課題を解決することを目的とする。
【０００６】
【課題を解決するための手段】
本発明は上記課題を解決するために提案されたものであり、基礎コンクリートの補強筋を非導電性の強化プラスチック筋にて構成し、且つ、該強化プラスチック筋に電気構造物のアンカーボルトを接続し、更に、該電気構造物の接地線に漏洩電流検出器及び電位検出器を付設した電気構造物の絶縁性測定装置を提供するものである。
【０００７】
【発明の実施の形態】
以下、本発明の実施の形態を図面に従って詳述する。図１に於いて１１は基礎であり、該基礎１１は補強筋として強化プラスチック筋（以下、「ＦＲＰ筋」という）１２を用い、該ＦＲＰ筋１２を現場に建込施行した後、基礎コンクリート１３を打設することにより形成される。尚、前記ＦＲＰ筋１２の具体的材質として、本実施の形態では絶縁性の高いアラミド繊維材を使用するものとするが、非導電性を有していれば他の材質のものを使用しても良い。
【０００８】
かかるＦＲＰ筋１２は鉄筋以上の引張強度を有していることが各試験データによって明らかにされており、該ＦＲＰ筋１２を補強筋とする基礎１１は、後述するＲＦ加熱炉用変圧器等の大型電気構造物を安定的に支えるのに充分な機械的強度を有している。また、該ＦＲＰ筋１２は電食、腐食がないので機械的強度が低下することはなく、長期間に亘り当初の性能を保つことができる。
【０００９】
更に、磁気誘導の影響を受けることもないので、残留磁気等による精密測定機器の誤動作を防止できる。
また、該ＦＲＰ筋１２は軽いので持ち運びが容易であり、雨天の場合等は作業性の良い屋内で組み立て、人力にて現場へ運ぶこともできる。更に、直線状の部材だけでなく、Ｌ字型、Ｔ字型等の部材も容易に作ることができ、これらの部材を適宜組み合わせることにより効率的に建込施工することができる。
【００１０】
而して、該ＦＲＰ筋１２を補強筋とする基礎１１上には、大型の電気構造物としてＲＦ加熱炉用変圧器１４が載設されており、該ＲＦ加熱炉用変圧器１４のアンカーボルト１５は、本体の転倒防止等のために前記ＦＲＰ筋１２に接続固定されている。そして、該ＲＦ加熱炉用変圧器１４の接地線１６には測定装置１７が付設され、該測定装置１７には前記接地線１６からその接地極１８へ流れる電流値を測定するための漏洩電流検出器１９と、前記接地線１６に於ける前記ＲＦ加熱炉用変圧器１４との接点２０の対地電位を測定するための電位検出器２１とが内設されている。また、この測定装置１７から警報装置２２が延設されている。
【００１１】
ここで、前記ＲＦ加熱炉用変圧器１４の絶縁性が劣化している場合には、該ＲＦ加熱炉用変圧器１４を稼動すると、内部から電流が洩れ出てくることになるが、前述したように前記ＦＲＰ筋１２は非導電性であるので、漏洩電流が前記アンカーボルト１５を介してＦＲＰ筋１２へ流れ込むことはない。即ち、該ＲＦ加熱炉用変圧器１４は基礎１１から電気的に完全に絶縁されているため、漏洩電流は全量、前記接地線１６のみを通過してアースされる。従って、前記漏洩電流検出器１９にて測定されたデータは、そのまま前記ＲＦ加熱炉用変圧器１４から発生した全漏洩電流を表示することになる。
【００１２】
また、ＲＦ加熱炉用変圧器１４の絶縁性劣化が進行すればする程、その稼動中に発生する漏洩電流量は増大する。即ち、絶縁性劣化度合は漏洩電流に比例する。
【００１３】
依って、前記漏洩電流検出器１９を監視すれば、絶縁性の劣化度合を正確に認識することができる。しかも従来の如く、運転を停止している休日や夜間ではなく稼動中に常時測定することができ、異常が発生した場合には前記測定装置１７から前記警報装置２２へ異常信号を出力するように構成すれば、該警報装置２２の警報音等に基づいてただちに対処することができるので、信頼性及び安全性が向上する。
【００１４】
また、前記電位検出器２１によって前記接地線１６及びその接地極１８の健全性を確認できる。即ち、接地線１６の断線の有無を監視する等、アースが正常に取られているか否かを確認することができる。更に、この電位検出器２１によって大地の状態変化に基づく接地抵抗の変化分を相殺処理することもできる。このように漏洩電流検出器１９に併せて電位検出器２１をも付設することにより、漏洩電流の測定結果の正確さを担保することができ、信頼性及び安全性が可及的に向上することになる。
【００１５】
尚、本発明は、本発明の精神を逸脱しない限り種々の改変を為すことができ、そして、本発明が該改変されたものに及ぶことは当然である。
【００１６】
【発明の効果】
以上説明したように、本発明は電気構造物の基礎コンクリートの補強筋を非導電性の強化プラスチック筋にて構成し、該強化プラスチック筋に電気構造物のアンカーボルトを接続したものである。従って、電気構造物の絶縁性が劣化することにより該電気構造物の稼動中に発生した漏洩電流は、アンカーボルトを通じて補強筋へ流れ込むことができず、その全量が接地線からアースされることになる。
【００１７】
従って、この接地線に漏洩電流検出器を付設することにより、全漏洩電流の大きさ、即ち、電気構造物の絶縁性劣化度合を正確に知ることができる。また常時絶縁性劣化を監視できるため、信頼性及び安全性が向上する。
【００１８】
更に、この接地線に電位検出器を付設することにより、接地線の状態を把握したり、接地抵抗の変化を考慮したりすることができ、これにより漏洩電流検出器の測定結果の正確さを担保することができるので、信頼性及び安全性を可及的に向上させることができる。
【図面の簡単な説明】
【図１】本発明の一実施の形態を示し、その解説図。
【図２】従来例を示し、その解説図。
【符号の説明】
１１        基礎
１２        強化プラスチック筋（ＦＲＰ筋）
１３        基礎コンクリート
１４        ＲＦ加熱炉用変圧器
１５        アンカーボルト
１６        接地線
１７        測定装置
１８        接地極
１９        漏洩電流検出器
２１        電位検出器
【図１】
0003541992.tif 000002
【図２】
0003541992.tif 000003